(57)【要約】【課題】警報スイッチ付または補助スイッチ付の２種類の回路遮断器を提供する場合において各々専用のスイッチ操作部材が必要なく部品の共用化が行え，部品の管理作業が低減できるとともに，補助スイッチ付回路遮断器から警報スイッチ付回路遮断器へ組替えを行う場合には容易に組み替えを行うことのできる回路遮断器を提供すること。【解決手段】回路遮断器の開閉機構の動作に従動する連係部材と，該連係部材の動作により駆動され接点信号を出力する警報または補助スイッチ部材とを備え，前記連係部材を，ハンドル部材の操作により開閉動作する際の機構部に当接する第一の当接部と，過電流により開極動作する際の機構部に当接する第二の当接部とを有して構成して回路遮断器を提供した。【選択図】      図１
2005353440.tif 000002
【特許請求の範囲】
【請求項１】
ケースとカバーにより器体を構成し，
該器体に設けられた電源端子から負荷端子に至る通電路に，
可動接点を備えた可動接触子と，該可動接点と対をなし対向して固定接点を備えた固定接触子とからなる接点装置を設け，
該接点装置を開極もしくは閉極操作するハンドル部材を含んでなる開閉機構と，
過電流発生時においては前記開閉機構に作用し可動接点を開極動作させる過電流引き外し手段と，
ハンドル部材を操作することによる接点装置の開閉動作および過電流による開極動作において開閉機構が移動する軌跡上に配設され，該開閉機構と当接して開閉機構の動作に従動する連係部材と，
該連係部材の動作により駆動され接点信号を出力するスイッチ部材とを備え，
前記連係部材は，ハンドル部材の操作により開閉動作する際の機構部に当接する第一の当接部と，
過電流により開極動作する際の機構部に当接する第二の当接部とを有して構成することにより，
過電流による開極動作およびハンドル部材を操作することによる開極動作を捉えて接点信号を出力する回路遮断器を構成でき，
前記連係部材において第一の当接部を除肉加工することにより，過電流による開極動作を捉えて接点信号を出力する回路遮断器を構成することができ，
連係部材を，過電流による開極動作およびハンドル部材を操作することによる開極動作を捉えて接点信号を出力する回路遮断器と，過電流による開極動作を捉えて接点信号を出力する回路遮断器とにおいて共用可能としたことを特徴とする回路遮断器。
【請求項２】
ケースとカバーにより器体を構成し，
該器体に設けられた電源端子から負荷端子に至る通電路に，
可動接点を備えた可動接触子と，該可動接点と対をなし対向して固定接点を備えた固定接触子とからなる接点装置を設け，
該接点装置を開極もしくは閉極操作するハンドル部材を含んでなる開閉機構と，
過電流発生時においては前記開閉機構に作用し可動接点を開極動作させる過電流引き外し手段と，
不平衡電流を検出し前記開閉機構に作用して接点装置を開極させる漏電引き外し装置と，
ハンドル部材を操作することによる接点装置の開閉動作および過電流および不平衡電流による開極動作，またはハンドル部材を操作することによる開閉動作において開閉機構が移動する軌跡上に配設され，該開閉機構と当接して開閉機構の動作に従動する連係部材と，
該連係部材の動作により駆動され接点信号を出力するスイッチ部材とを備え，
前記連係部材は，ハンドル部材の操作により開閉動作する際の機構部に当接する第一の当接部と，
過電流および不平衡電流により開極動作する際の機構部に当接する第二の当接部とを有して構成することにより，
過電流および不平衡電流による開極動作またはハンドル部材を操作することによる開極動作を捉えて接点信号を出力する回路遮断器を構成でき，
前記連係部材において第一の当接部を除肉加工することにより，過電流および不平衡電流による開極動作を捉えて接点信号を出力する回路遮断器を構成することができ，
連係部材を，過電流および不平衡電流による開極動作またはハンドル部材を操作することによる開極動作を捉えて接点信号を出力する回路遮断器と，過電流による開極動作を捉えて接点信号を出力する回路遮断器とにおいて共用可能としたことを特徴とする回路遮断器。
【請求項３】
前記開閉機構部に，前記連係部材の第一の当接部との当接部分を予め除肉可能部として設け，
除肉加工を行わない場合には過電流による開極動作およびハンドル部材を操作することによる開極動作を捉えて接点信号を出力する回路遮断器を構成でき，
除肉加工を行う場合には過電流による開極動作を捉えて接点信号を出力する回路遮断器を構成することができ，
連係部材を，過電流による開極動作およびハンドル部材を操作することによる開極動作を捉えて接点信号を出力する回路遮断器と，過電流による開極動作を捉えて接点信号を出力する回路遮断器とにおいて共用可能としたことを特徴とする請求項１記載の回路遮断器。
【請求項４】
前記開閉機構部に，前記連係部材の第一の当接部との当接部分を予め除肉可能部として設け，
除肉加工を行わない場合には過電流および不平衡電流による開極動作またはハンドル部材を操作することによる開極動作を捉えて接点信号を出力する回路遮断器を構成でき，
除肉加工を行う場合には過電流および不平衡電流による開極動作を捉えて接点信号を出力する回路遮断器を構成することができ，
連係部材を，過電流および不平衡電流による開極動作またはハンドル部材を操作することによる開極動作を捉えて接点信号を出力する回路遮断器と，過電流および不平衡電流による開極動作を捉えて接点信号を出力する回路遮断器とにおいて共用可能としたことを特徴とする請求項２記載の回路遮断器。
【発明の詳細な説明】
【技術分野】
【０００１】
本発明は分電盤に使用される回路遮断器に関し，特に電灯分電盤用協約形の回路遮断器であって，協約単位幅寸法を保って構成された２極回路遮断器に関する。
【背景技術】
【０００２】
従来，協約単位幅寸法を保って構成された２極回路遮断器の例としては，図１８に示したような回路遮断器がある。
【０００３】
図１４（従来文献中の図４）は回路遮断器に係るものであり、また、ベースとカバーよりなる絶縁筐体と、この絶縁筐体の内部に配設され外部からオン，オフ操作可能なハンドルと、絶縁筐体のベースに装着された固定接触子と、この固定接触子に対向して接離する可動接触子と、この可動接触子を駆動するクロスバーと、このクロスバーに係合するアームと、一端がこのアームにローラピンを介して係合し他端がハンドルに係合してトグルリンク機構を構成するハンドルアームと、過電流に応動してトグルリンク機構を作動させる過電流引き外し装置と、ベースの正面部と隣接する背面部の他極に設けられハンドルに軸支されたガイドプレートと、このガイドプレートとハンドルに係合しガイドプレートとハンドルを常に所定の関係位置に付勢するハンドルバネと、一端がガイドプレートに回動自在に装着され他端がクロスバーに回動自在に装着された連結ピンと、を備えた回路遮断器において、ベースの正面部と隣接する背面部とを隔離する極間隔壁に形成された連通孔と、この連通孔の近傍でベースの背面部側に極間隔壁から突出したピンと、このピンに回動自在に装着された警報スイッチ操作部材と、この警報スイッチ操作部材に係合し外部に接点信号を出すスイッチとを設け、回路遮断器がトリップ動作時に連通孔を通してローラピンが警報スイッチ操作部材を押圧しスイッチを作動させるようにすれば、警報スイッチ付回路遮断器が構成でき、上記ピンに回動自在に装着された補助スイッチ操作部材と、この補助スイッチ操作部材に係合し回路遮断器の開閉動作に連動して外部に接点信号を出すスイッチとを設け、回路遮断器がオン動作時またはオフ動作時に連結ピンが補助スイッチ操作部材を押圧してスイッチを作動させるようにすれば補助スイッチ付回路遮断器が構成できるようにしたものである。
【０００４】
警報スイッチ付回路遮断器においては，警報スイッチ操作カム１０３は合成樹脂で図１５（従来文献中の図１５）に示す形状に形成され、基部１０３ａと、この基部１０３ａから一方側に突出し、開閉機構部６９のハンドルアーム７４に軸支されたローラピン７５と係合するカム係合片１０３ｂと、基部１０３ａの他方側に突出し後記するスイッチレバー１０１ｂと係合するカム係合ピン１０３ｃとで構成されている。
【０００５】
また，補助スイッチ付回路遮断器においては，補助スイッチ操作カム３０３は合成樹脂で図１６（従来文献中の図２６）に示す形状に形成され、基部３０３ａと、この基部３０３ａから一方側に突出しガイドプレート９５とクロスバー４８とを回動自在に連結するＵ字状の連結ピン９７と係合する第一のカム係合ピン３０３ｂと、基部３０３ａの他方側に突出し後記するスイッチレバー１０１ｂと係合する第二のカム係合ピン３０３ｃとで構成されている。また、補助スイッチ操作カム３０３は，ベース４１の極間隔壁４１ｃから突出した第一のピン４１ｄに貫通孔３０３ｄが挿着され、この第一のピン４１ｄを支点として回動可能であり、第一のカム係合ピン３０３ｂは連結ピン９７と係合するよう構成されている。
【０００６】
本従来例は，近年，電灯分電盤用協約形の回路遮断器において，協約単位幅寸法，即ち１極分の幅寸法で，２極分の機能を有する回路遮断器を構成しつつ，回路遮断器が過電流や不平衡電流により動作した場合のトリップ動作状態を電気的に表示する警報スイッチや，回路遮断器をハンドル操作にて開閉した場合の回路遮断器の接点の開閉状態を電気的に表示する補助スイッチを内蔵した多機能な遮断器を求められていることに対応したものである。
【特許文献１】特開平１１−３３９６２６号公報（第００１７項，第００３３項，第００５４項，図４，図１５，図２６）
【発明の開示】
【発明が解決しようとする課題】
【０００７】
しかしながら，従来の回路遮断器には次のような問題があった。
【０００８】
この従来の配線用遮断器は，警報スイッチ付から補助スイッチ付への改造、または補助スイッチ付から警報スイッチ付への改造が容易な回路遮断器を得ることを目的として構成されたものである。回路遮断器において，警報スイッチ付回路遮断器を構成する場合には，ベースの正面部と隣接する背面部とを隔離する極間隔壁に形成された連通孔と、この連通孔の近傍でベースの背面部側に極間隔壁から突出したピンと、このピンに回動自在に装着された警報スイッチ操作部材と、この警報スイッチ操作部材に係合し外部に接点信号を出すスイッチとを設け、回路遮断器がトリップ動作時に連通孔を通してローラピンが警報スイッチ操作部材を押圧しスイッチを作動させるようにすれば、警報スイッチ付回路遮断器が構成でき、補助スイッチ付回路遮断器を構成する場合には，上記ピンに回動自在に装着された補助スイッチ操作部材と、この補助スイッチ操作部材に係合し回路遮断器の開閉動作に連動して外部に接点信号を出すスイッチとを設け、回路遮断器がオン動作時またはオフ動作時に連結ピンが補助スイッチ操作部材を押圧してスイッチを作動させるようにすれば補助スイッチ付回路遮断器が構成できるようにその構成を行っている。
【０００９】
このため，警報スイッチ付回路遮断器を構成する場合には警報スイッチ操作部材が必要になり，また，補助スイッチ付回路遮断器を構成する場合には補助スイッチ操作部材が必要になり，各々の使用の回路遮断器を構成する場合においてそれぞれ専用の部品が必要になっていた。したがって２部品の金型が必要になり，また，量産にあたっては２部品共に在庫の積み上げ作業が必要となり，また，部品の保管管理が必要になり，警報スイッチ付回路遮断器と補助スイッチ付回路遮断器の２種類の回路遮断器を提供する場合において各々専用のスイッチ操作部材が必要になるとともに，これに伴う部品管理作業が増大するという課題があった。
【００１０】
また，警報スイッチ付回路遮断器から補助スイッチ付回路遮断器への改造にあたっては、その改造に係る工程として，特許文献１中の図４において，１．第２のカバー４２を取り外し，２．警報スイッチ１０１を取り外し，３．警報スイッチ１０１の下に設けられているスイッチ取付板１０２を取り外し，４．スイッチ取付板１０２の下に設けられている警報スイッチ操作部材である警報スイッチ操作カム１０３を取り外し，５．改めて補助スイッチ操作部材である補助スイッチ操作カム３０３を取り付け，６．再度スイッチ取付板１０２を取り付け，７．警報スイッチ１０１を取り付け，８．第２のカバー４２を取り付けて，改造工程を完了するようになっている。このため，改造にあたっては特許文献１中の図４に示されているように複雑に機構部が入組んでいる回路遮断器の内部において改造作業を行う必要があり，改造に係る工程数が多くかかるという課題があった。また，警報スイッチの取り付け工程においては，スイッチレバー１０１ｂの自由端が警報スイッチ操作カム１０３の係合ピン１０３ｃと係合するように装着される必要があるため手練を要するといった問題があった。補助スイッチ付回路遮断器から警報スイッチ付回路遮断器への改造にあたっても同様の改造工程数が必要となる。
【００１１】
この発明は，上述のような課題を解決するためになされたものであり，警報スイッチ付回路遮断器と補助スイッチ付回路遮断器の２種類の回路遮断器を提供する場合において各々専用のスイッチ操作部材が必要なく部品の共用化が行え，部品の管理作業が低減できるとともに，補助スイッチ付回路遮断器から警報スイッチ付回路遮断器へ組替えを行う場合には容易に組み替えを行うことのできる回路遮断器を提供することを目的としている。
【課題を解決するための手段】
【００１２】
上述の目的を達成するために，本発明の請求項１では，ケースとカバーにより器体を構成し，該器体に設けられた電源端子から負荷端子に至る通電路に，可動接点を備えた可動接触子と，該可動接点と対をなし対向して固定接点を備えた固定接触子とからなる接点装置を設け，該接点装置を開極もしくは閉極操作するハンドル部材を含んでなる開閉機構と，過電流発生時においては前記開閉機構に作用し可動接点を開極動作させる過電流引き外し手段と，ハンドル部材を操作することによる接点装置の開閉動作および過電流による開極動作において開閉機構が移動する軌跡上に配設され，該開閉機構と当接して開閉機構の動作に従動する連係部材と，該連係部材の動作により駆動され接点信号を出力するスイッチ部材とを備え，前記連係部材は，ハンドル部材の操作により開閉動作する際の機構部に当接する第一の当接部と，過電流により開極動作する際の機構部に当接する第二の当接部とを有して構成することにより，過電流による開極動作およびハンドル部材を操作することによる開極動作を捉えて接点信号を出力する回路遮断器を構成でき，前記連係部材において第一の当接部を除肉加工することにより，過電流による開極動作を捉えて接点信号を出力する回路遮断器を構成することができ，連係部材を，過電流による開極動作およびハンドル部材を操作することによる開極動作を捉えて接点信号を出力する回路遮断器と，過電流による開極動作を捉えて接点信号を出力する回路遮断器とにおいて共用可能としたことを特徴として回路遮断器を提供したものである。
これにより，警報スイッチ付回路遮断器と補助スイッチ付回路遮断器の２種類の回路遮断器を提供する場合において各々専用のスイッチ操作部材が必要なく部品の共用化が行うことができ，部品は１種類であることから部品の管理作業が低減できるとともに，補助スイッチ付回路遮断器から警報スイッチ付回路遮断器への組替えにあたっては連係部材の一部を除肉するのみで容易に組替えが行うことのできる回路遮断器，特に配線用遮断器を提供することが可能である。
【００１３】
また請求項２では，ケースとカバーにより器体を構成し，該器体に設けられた電源端子から負荷端子に至る通電路に，可動接点を備えた可動接触子と，該可動接点と対をなし対向して固定接点を備えた固定接触子とからなる接点装置を設け，該接点装置を開極もしくは閉極操作するハンドル部材を含んでなる開閉機構と，過電流発生時においては前記開閉機構に作用し可動接点を開極動作させる過電流引き外し手段と，不平衡電流を検出し前記開閉機構に作用して接点装置を開極させる漏電引き外し装置と，ハンドル部材を操作することによる接点装置の開閉動作および過電流および不平衡電流による開極動作，またはハンドル部材を操作することによる開閉動作において開閉機構が移動する軌跡上に配設され，該開閉機構と当接して開閉機構の動作に従動する連係部材と，該連係部材の動作により駆動され接点信号を出力するスイッチ部材とを備え，前記連係部材は，ハンドル部材の操作により開閉動作する際の機構部に当接する第一の当接部と，過電流および不平衡電流により開極動作する際の機構部に当接する第二の当接部とを有して構成することにより，過電流および不平衡電流による開極動作またはハンドル部材を操作することによる開極動作を捉えて接点信号を出力する回路遮断器を構成でき，前記連係部材において第一の当接部を除肉加工することにより，過電流および不平衡電流による開極動作を捉えて接点信号を出力する回路遮断器を構成することができ，連係部材を，過電流および不平衡電流による開極動作またはハンドル部材を操作することによる開極動作を捉えて接点信号を出力する回路遮断器と，過電流による開極動作を捉えて接点信号を出力する回路遮断器とにおいて共用可能としたことを特徴として回路遮断器したものである。
これにより，警報スイッチ付回路遮断器と補助スイッチ付回路遮断器の２種類の回路遮断器を提供する場合において各々専用のスイッチ操作部材が必要なく部品の共用化が行うことができ，部品は１種類であることから部品の管理作業が低減できるとともに，補助スイッチ付回路遮断器から警報スイッチ付回路遮断器への組替えにあたっては連係部材の一部を除肉するのみで容易に組替えを行うことのできる回路遮断器，特に漏電遮断器を提供することが可能である。
【００１４】
また請求項３では，前記開閉機構部に，前記連係部材の第一の当接部との当接部分を予め除肉可能部として設け，除肉加工を行わない場合には過電流による開極動作およびハンドル部材を操作することによる開極動作を捉えて接点信号を出力する回路遮断器を構成でき，除肉加工を行う場合には過電流による開極動作を捉えて接点信号を出力する回路遮断器を構成することができ，連係部材を，過電流による開極動作およびハンドル部材を操作することによる開極動作を捉えて接点信号を出力する回路遮断器と，過電流による開極動作を捉えて接点信号を出力する回路遮断器とにおいて共用可能としたことを特徴として請求項１の回路遮断器したものである。
これにより，警報スイッチ付回路遮断器と補助スイッチ付回路遮断器の２種類の回路遮断器を提供する場合において各々専用のスイッチ操作部材が必要なく部品の共用化が行うことができ，改造に伴う部品は本来の遮断器の開閉機構の一部であることから部品の管理作業は通常の回路遮断器と変わらずに行え，補助スイッチ付回路遮断器から警報スイッチ付回路遮断器への組替えにあたっては開閉機構の一部を除肉するのみで容易に組替えが行うことのできる回路遮断器，特に配線用遮断器を提供することが可能である。
【００１５】
また請求項４では，前記開閉機構部に，前記連係部材の第一の当接部との当接部分を予め除肉可能部として設け，除肉加工を行わない場合には過電流および不平衡電流による開極動作またはハンドル部材を操作することによる開極動作を捉えて接点信号を出力する回路遮断器を構成でき，除肉加工を行う場合には過電流および不平衡電流による開極動作を捉えて接点信号を出力する回路遮断器を構成することができ，連係部材を，過電流および不平衡電流による開極動作またはハンドル部材を操作することによる開極動作を捉えて接点信号を出力する回路遮断器と，過電流および不平衡電流による開極動作を捉えて接点信号を出力する回路遮断器とにおいて共用可能としたことを特徴として請求項２の回路遮断器したものである。
これにより，警報スイッチ付回路遮断器と補助スイッチ付回路遮断器の２種類の回路遮断器を提供する場合において各々専用のスイッチ操作部材が必要なく部品の共用化が行うことができ，組替えに伴う部品は本来の遮断器の開閉機構の一部であることから部品の管理作業は通常の回路遮断器と変わらずに行え，補助スイッチ付回路遮断器から警報スイッチ付回路遮断器への組替えにあたっては開閉機構の一部を除肉するのみで容易に改造が行うことのできる回路遮断器，特に漏電遮断器を提供することが可能である。
【発明の効果】
【００１６】
以上の如く本発明によれば，警報スイッチ付回路遮断器と補助スイッチ付回路遮断器の２種類の回路遮断器を提供する場合において各々専用のスイッチ操作部材が必要なく部品の共用化が行え，部品の管理作業が低減できるとともに，補助スイッチ付回路遮断器から警報スイッチ付回路遮断器へ容易に組替えが行うことのできる回路遮断器を提供することができる。
【実施例１】
【００１７】
以下，本発明の実施の形態について，図面を用いて詳細に説明する。
【００１８】
図１は電源端子側を右側とした場合の回路遮断器の内部構造図を示している。図１では手前にＮ相，奥側にＬ相（図示しない）の配置となっている。また図２は図１の回路遮断器を反対側から臨んだ図である。図２では手前にＬ相，奥側にＮ相の配置となっている。
【００１９】
回路遮断器はその器体がケース１００とカバー２００とから構成されている。
【００２０】
器体には，電源端子１０１と負荷端子１０２が設けられ，該電源端子１０１から負荷端子１０２に至る通電路に，可動接点１０３１ａを備えた可動接触子１０３１と，該可動接点１０３１ａと対をなし対向して固定接点１０３２ａを備えた固定接触子１０３２とからなる接触装置１０３と，該接点装置１０３を開極もしくは閉極操作するためのハンドル部材１０５１を含んでなる開閉機構１０５と，電路における過電流が発生した場合には開閉機構１０５に作用し，可動接点１０３１ａを開極動作させる過電流引き外し手段１０８とが設けられている。
【００２１】
ケース１００には，ハンドル部材１０５１がピン１０５４を介して回動自在に支持されている，ハンドル部材１０５１は図中下向きに延びる腕部１０５１ａを有し，その一端に設けられた可動接触子係止部１０５２ｂにより可動接触子１０３１が回動自在に支承されている。
【００２２】
また，ケース１００にはアーム１０５２がピン１０５５を介して回動自在に支持され，同じく作動板１０５４がピン１０５６を介して回動自在に支持されている作動板１０５４には，アーム１０５２の一部が係合するための係合部１０５４ａが設けられており，作動板１０５４にアーム１０５２が係合されている状態においてハンドル部材の操作により接点装置１０３の開極動作ならびに閉極動作が行えるように構成している。
【００２３】
アーム１０５２と可動接触子１０３１には，ばね部材の掛かり止め部１０５３ａと１０５３ｂが設けられ，引張ばねからなるばね部材１０５３が掛けられるようになっており，互いが引き合わされるように付勢され、リンクを構成するハンドル部材１０５１と可動接触子１０３１において，可動接触子１０３１のばね部材係止部１０５３ｂとハンドル部材１０５１の回動中心となるピン１０５４を結ぶ線を死線として，可動接触子係止部１０５２ｂが死線を図中負荷端子側に越えるよう配置され、可動接触子１０３１はＯＮ状態である図示姿勢を保っている。なお，ハンドル部材１０５１にはその回動の角度の上限を定めるようケース１００と当接するハンドル回転角度規制部１０５１ｂを設けている。
【００２４】
ハンドル部材１０５１と可動接触子１０３１はリンクを構成しており，図１において可動接触子１０３１はばね部材１０５３の復元力により，ハンドル部材１０５１は時計回りに回転力を受けるとともに，可動接触子１０３１は反時計回りに回転力を受け，固定接触子１０３２に押圧するようＯＮ状態を保っている（閉極状態）。次に，この状態から開極状態に操作させる場合について説明する。
【００２５】
図１において，ハンドル部材１０５１を左方向（反時計回り）に回転操作すると，それに伴い腕部１０５１ａは右方向（反時計回り）に回動し，ハンドル部材１０５１と可動接触子１０３１とからなるリンクの死線を，可動接触子係止部１０５２ｂが越えることにより，可動接触子１０３１に対するばね部材１０５３の作用が反転して，可動接触子１０３１は可動接触子係止部１０５２ｂを回転中心として，時計回りの方向に力を受け，固定接触子１０３２から開極動作する（図３  ＯＦＦ状態）。
【００２６】
次に，電路に過電流が流れて過電流引き外し手段１０８が作用する場合について説明する。電路に過電流が流れると，図２において，ケース１００に設けられた電路の一部を構成するバイメタル１０８０は，そのケースへの取付部１０８０ａを支点として作動板１０５４と離れる方向にたわみ，作動板１０５４に設けられた動作時間を調整するための調整ねじ１０８３と係合し，作動板１０５４はピン１０５６を回動中心としてアーム１０５２との係合部１０５４ａにおける係合量が少なくなる方向に回動する。
【００２７】
回動が進み係止が解かれると，アーム１０５２はピン１０５５を回動中心として図２中時計回りに回動する。
【００２８】
それに伴い，ばね部材係止部１０５３ａも時計回りに回動し、ばね部材係止部１０５３ｂと，可動接触子係止部１０５２ｂを結ぶ線上を越えた場合には，可動接触子1０３１に対するばね部材１０５３の作用が反転して，可動接触子１０３１は可動接触子係止部１０５２ｂを回動中心として図中反時計回りの方向に力を受け固定接触子１０３２から開極動作，即ちトリップ動作する（図４  トリップ状態）。
【００２９】
次に，トリップ動作により係止が解かれたアーム１０５２と作動板１０５４とを再び係合させる，即ちリセット動作させるには，ハンドル部材１０５１を一旦図４中時計回り（ＯＦＦ方向）に回動操作させ，該操作力によりハンドル部材１０５１の腕部１０５１ａでアーム１０５２の回動中心となるピン１０５５近傍に設けられた突出部１０５２ａを押圧することにより，アームを図２中反時計方向に回動中心をピン１０５５として回動させ，作動板の係合部１０５４ａの位置までアーム１０５２の係合部が持ち上げられることにより係合する。
【００３０】
電源端子１０１の下方には，回路遮断器の開極状態，即ちトリップ状態や，ハンドル部材を操作することによる接点の開閉状態を外部に出力するためのスイッチ部材１０７が配設されている。スイッチ部材１０７は前記電源端子１０１の下方で，該電源端子１０１と一体に形成された略Ｌ字形の固定接触子１０３２と，器体ケース１００の外郭との間の位置に，ケース１００とカバー２００とで挟み込むように配設固定されている。
【００３１】
スイッチ部材１０７は，自動復帰接点が内蔵した押しボタン１０７２により押圧されることにより接点信号を出力するタイプのマイクロスイッチであり，該押ボタン１０７２に対向して一端がスイッチ本体に揺動自在に支持された押ボタン操作片１０７１を一体に形成したものである。
【００３２】
スイッチ部材１０７は，この押ボタン操作片１０７１を押圧されることにより，内蔵された自動復帰接点が駆動し，接点信号を出力する。
また，開閉機構部１０５の動きを該スイッチ部材１０７に伝えるための連係部材１０６が設けられている。
【００３３】
連係部材１０６は，その一端が回動中心１０６ａとなるようケース１００に嵌め込まれ，略Ｌの字形に構成され，他端は前記押ボタン操作片１０７１と当接するよう設けられ，本連係部材１０６の回動により押ボタン操作片１０７１が押圧されスイッチ部材を駆動させる。
【００３４】
ここで連係部材１０６には，ハンドル部材１０５１の操作により開閉機構部が開閉動作する際の機構部１０５に当接する第一の当接部１０６１と過電流により過電流引外し手段１０８が作用し，開極動作する際の機構部１０５に当接する第二の当接部１０６２が設けられている。
【００３５】
図５には，開閉機構部１０５のハンドル部材１０５１を操作したことによる開閉動作に伴う移動軌跡を示し，図６には，図５に連係部材１０６を重ねた図を示している。連係部材１０６と機構部１０５のハンドル部材１０５１の腕部１０５１ａは，図中斜線部で当接するよう配設されてある。
【００３６】
ＯＮ状態からＯＦＦ状態に至る場合には，腕部１０５１ａと第一の当接部１０６１が当接し，連携部材１０６は１０６ａ部を回動の中心として図中反時計回りに押圧され，スイッチ押圧部１０６３にて押ボタン操作片１０７１を押圧し，スイッチ部材１０７を駆動する。
また，スイッチ部材１０７の自動復帰接点により，押ボタン１０７２は常に外側方向に力が加わっており，従って押ボタン操作片１０７１はスイッチ部材１０７の外側に向かって力を受けている。
【００３７】
回路遮断器がＯＦＦ状態からＯＮ状態に至る場合においては，当接していた腕部１０５１ａと第一の当接部は各々が離れる方向に動作するため，当接はなくなる。押ボタン操作片１０７１の復元力により，連係部材１０６は回動中心１０６ａを中心として図中時計回りに回動し，スイッチ部材から離れ，スイッチ部材は押圧されなくなる。
【００３８】
次に図７には，開閉機構部１０５の過電流引き外し動作に伴う移動軌跡を示している。
図８には，図７に連係部材１０６を重ねた図を示している。過電流引外し動作（トリップ動作）においては，アーム１０５２と作動板１０５４との係合が外れ，ピン１０５５を回動中心としてアームが図中反時計回りに回転することによりアームに設けられた突出部１０５２ａも同方向に回転を行い，連係部材１０６の第二の当接部１０６２に当接し，ばね部材１０５３の復元力により連係部材１０６は，１０６ａ部を回転の中心として図中反時計回りに回動し，スイッチ押圧部１０６３にて押ボタン操作片１０７１を押圧し，スイッチ部材１０７を駆動する。連係部材１０６の第一の当接部１０６１は機構部１０５とは当接しない。
【００３９】
このように連係部材１０６は，ハンドル部材１０５１の操作により開閉動作する際の機構部に等接する第一の当接部と，過電流により過電流引き外し手段が作用し，機構部が開極動作する際の機構部に等接する第二の当接部とを有して構成されてあり，ハンドルによる開閉動作と，過電流による引き外し動作との状態の異なる２つの状態をスイッチ部材に伝達することができるよう構成されてある。
【００４０】
以上のように，電源端子収容部と負荷端子収容部との内側に，開閉機構部等の回路遮断器の主たる構成部品を配設し，回路遮断器のトリップ状態や，接点の開閉状態を外部に出力するスイッチ部材１０７を電源端子収容部または負荷端子収容部に配設したために，主たる構成部品はスイッチ部材１０７の配置による影響を受けずに設けて回路遮断器を構成することができる。
【００４１】
通常，回路遮断器の接点状態を外部に出力する形態としては，過電流による開極動作およびハンドル部材を操作することによる開極動作を捉えて接点信号を出力する補助スイッチ付き回路遮断器Ａと，過電流による開極動作を捉えて接点信号を出力する警報スイッチ付き回路遮断器Ｂとの２つがあるため，補助スイッチ付き回路遮断器Ａと，警報スイッチ付き回路遮断器Ｂ両方の使用に対応することが可能である。
【００４２】
ここで連係部材１０６において，補助スイッチ付き回路遮断器Ａを構成するためには第一の当接部１０６１と第二の当接部１０６２との両方が必要であるが，警報スイッチ付き回路遮断器Ｂを構成するためには，第二の当接部のみがあれば良いため，回路遮断器の組み立て時において，第一の当接部１０６１をニッパ等で除肉する事により簡単に警報スイッチ付き回路遮断器Ｂを構成する事が可能となる。組替えの工程における作業は，１．カバー２００を取り外し，２．連係部材１０６を取り外し，３．第一の当接部１０６１をニッパ等で除肉し，４．再度連係部材１０６を取り付け，５．カバー２００を取り付けて完了である。従来の例と比較すると，組替えに伴う工程数を大幅に削減することが可能である。
【００４３】
このように，補助スイッチ付き回路遮断器Ａ，または警報スイッチ付き回路遮断器Ｂを構成するために連係部材を共用化する事により，連係部材が一種類でよいため，部品を作成するための金型が一種類でよく，また部品の管理が省力化でき，コストの削減につながる回路遮断器を提供する事ができる。
【００４４】
尚，実施例においてはスイッチ部材としてマイクロスイッチを用いたが，その他のスイッチ部材として，接点信号を外部に出力することが可能で，遮断器の電源端子収容部または負荷端子収容部に配設できるものであれば，通常の押ボタンスイッチやトグルスイッチ等であってもよい。
【００４５】
次に，本発明の回路遮断器が漏電遮断器である場合を図を用いて説明する。
【００４６】
図９は電源端子側を右側とした場合の回路遮断器の内部構造図を示している。図９では手前にＮ相，奥側にＬ相（図示しない）の配置となっている。また図１０は図９の回路遮断器を反対側から臨んだ図である。図１０では手前にＬ相，奥側にＮ相の配置となっている。先の実施例，即ち回路遮断器が配線用遮断器である場合と主たる構成部品は共通であるため，共通の部品については先の実施例と同一番号を用いて説明を行う。
【００４７】
回路遮断器はその器体がケース１００とカバー２００とから構成されている。
【００４８】
器体には，電源端子１０１と負荷端子１０２が設けられ，該電源端子１０１から負荷端子１０２に至る通電路に，可動接点１０３１ａを備えた可動接触子１０３１と，該可動接点１０３１ａと対をなし対向して固定接点１０３２ａを備えた固定接触子１０３２とからなる接触装置１０３と，該接点装置１０３を開極もしくは閉極操作するためのハンドル部材１０５１を含んでなる開閉機構１０５と，電路における過電流が発生した場合には開閉機構１０５に作用し，可動接点１０３１ａを開極動作させる過電流引き外し手段１０８とが設けられている。
【００４９】
ケース１００には，ハンドル部材１０５１がピン１０５４を介して回動自在に支持されている，ハンドル部材１０５１は図中下向きに延びる腕部１０５１ａを有し，その一端に設けられた可動接触子係止部１０５２ｂにより可動接触子１０３１が回動自在に支承されている。
【００５０】
また，ケース１００にはアーム１０５２がピン１０５５を介して回動自在に支持され，同じく作動板１０５４がピン１０５６を介して回動自在に支持されている作動板１０５４には，アーム１０５２の一部が係合するための係合部１０５４ａが設けられており，作動板１０５４にアーム１０５２が係合されている状態においてハンドル部材の操作により接点装置１０３の開極動作ならびに閉極動作が行えるように構成している。
【００５１】
アーム１０５２と可動接触子１０３１には，ばね部材の掛かり止め部１０５３ａと１０５３ｂが設けられ，引張ばねからなるばね部材１０５３が掛けられるようになっており，互いが引き合わされるように付勢され、リンクを構成するハンドル部材１０５１と可動接触子１０３１において，可動接触子１０３１のばね部材係止部１０５３ｂとハンドル部材１０５１の回動中心となるピン１０５４を結ぶ線を死線として，可動接触子係止部１０５２ｂが死線を図中負荷端子側に越えるよう配置され、可動接触子１０３１はＯＮ状態である図示姿勢を保っている。なお，ハンドル部材１０５１にはその回動の角度の上限を定めるようケース１００と当接するハンドル回転角度規制部１０５１ｂを設けている。
【００５２】
２１０は引き外しコイル（以後トリップコイルという），２１１は零相変流器（以後ＣＴという）を示している。本実施例で示す漏電遮断器は，先に示した実施例における配線用遮断器の内部に，新たにトリップコイル２１０，ＣＴ２１１，漏電検知器からなる漏電引き外し装置を配設して２極回路遮断器を構成したものである。
【００５３】
ＣＴ２１１には各極の負荷側端子１０２と固定接触子１０３２，もしくは可動接触子１０３１とを接続する接続導体を貫通させる貫通孔が設けられ，導体を流れる電流量に応じて電圧を出力する。漏電検知器は該ＣＴ２１１からの出力を増幅する増幅部を有しており，演算処理を行い，引き外しコイル２１０に信号を出力する。該引き外しコイル２１０は，接点装置を開極するための引き外し装置であり，前記漏電検知器からの出力を受け開閉機構部１０５に作用する。
【００５４】
ハンドル部材１０５１と可動接触子１０３１はリンクを構成しており，図１０において可動接触子１０３１はばね部材１０５３の復元力により，ハンドル部材１０５１は時計回りに回転力を受けるとともに，可動接触子１０３１は反時計回りに回転力を受け，固定接触子１０３２に押圧するようＯＮ状態を保っている（閉極状態）。次に，この状態から開極状態に操作させる場合について説明する。
【００５５】
図１０において，ハンドル部材１０５１を右方向（時計回り）に回転操作すると，それに伴い腕部１０５１ａは左方向（時計回り）に回動し，ハンドル部材１０５１と可動接触子１０３１とからなるリンクの死線を，可動接触子係止部１０５２ｂが越えることにより，可動接触子１０３１に対するばね部材１０５３の作用が反転して，可動接触子１０３１は可動接触子係止部１０５２ｂを回転中心として，反時計回りの方向に力を受け，固定接触子１０３２から開極動作する（図１１  ＯＦＦ状態）。
【００５６】
次に，電路に過電流が流れて過電流引き外し手段１０８が作用する場合について説明する。電路に過電流が流れると，図１０において，ケース１００に設けられた電路の一部を構成するバイメタル１０８０は，そのケースへの取付部１０８０ａを支点として作動板１０５４と離れる方向にたわみ，作動板１０５４に設けられた動作時間を調整するための調整ねじ１０８３と係合し，作動板１０５４はピン１０５６を回動中心としてアーム１０５２との係合部１０５４ａにおける係合量が少なくなる方向に回動する。
【００５７】
回動が進み係止が解かれると，アーム１０５２はピン１０５５を回動中心として図１０中時計回りに回動する。
【００５８】
それに伴い，ばね部材係止部１０５３ａも時計回りに回動し、ばね部材係止部１０５３ｂと，可動接触子係止部１０５２ｂを結ぶ線上を越えた場合には，可動接触子1０３１に対するばね部材１０５３の作用が反転して，可動接触子１０３１は可動接触子係止部１０５２ｂを回動中心として図１０中反時計回りの方向に力を受け固定接触子１０３２から開極動作，即ちトリップ動作する（図１２  トリップ状態）。
【００５９】
次に，トリップ動作により係止が解かれたアーム１０５２と作動板１０５４とを再び係合させる，即ちリセット動作させるには，ハンドル部材１０５１を一旦１２中時計回り（ＯＦＦ方向）に回動操作させ，該操作力によりハンドル部材１０５１の腕部１０５１ａでアーム１０５２の回動中心となるピン１０５５近傍に設けられた突出部１０５２ａを押圧することにより，アームを図１２中反時計方向に回動中心をピン１０５５として回動させ，作動板の係合部１０５４ａの位置までアーム１０５２の係合部が持ち上げられることにより係合する。
【００６０】
電源端子１０１の下方には，回路遮断器の開極状態，即ちトリップ状態や，ハンドル部材を操作することによる接点の開閉状態を外部に出力するためのスイッチ部材１０７が配設されている。スイッチ部材１０７は前記電源端子１０１の下方で，該電源端子１０１と一体に形成された略Ｌ字形の固定接触子１０３２と，器体ケース１００の外郭との間の位置に，ケース１００とカバー２００とで挟み込むように配設固定されている。
【００６１】
スイッチ部材１０７は，自動復帰接点が内蔵した押しボタン１０７２により押圧されることにより接点信号を出力するタイプのマイクロスイッチであり，該押ボタン１０７２に対向して一端がスイッチ本体に揺動自在に支持された押ボタン操作片１０７１を一体に形成したものである。
【００６２】
スイッチ部材１０７は，この押ボタン操作片１０７１を押圧されることにより，内蔵された自動復帰接点が駆動し，接点信号を出力する。
また，開閉機構部１０５の動きを該スイッチ部材１０７に伝えるための連係部材１０６が設けられている。
【００６３】
連係部材１０６は，その一端が回動中心１０６ａとなるようケース１００に嵌め込まれ，略Ｌの字形に構成され，他端は前記押ボタン操作片１０７１と当接するよう設けられ，本連係部材１０６の回動により押ボタン操作片１０７１が押圧されスイッチ部材を駆動させる。
【００６４】
ここで連係部材１０６には，ハンドル部材１０５１の操作により開閉機構部が開閉動作する際の機構部１０５に当接する第一の当接部１０６１と過電流および不平衡電流により過電流引外し手段１０８が作用し，開極動作する際の機構部１０５に当接する第二の当接部１０６２が設けられている。
【００６５】
開閉機構部１０５のハンドル部材１０５１を操作したことによる開閉動作に伴う移動軌跡は，前述の配線用遮断器と同様であるため図５で代替説明する。連係部材１０６を重ねた図は図６で代替する。連係部材１０６と機構部１０５のハンドル部材１０５１の腕部１０５１ａは，図中斜線部で当接するよう配設されてある。
【００６６】
ＯＮ状態からＯＦＦ状態に至る場合には，腕部１０５１ａと第一の当接部１０６１が当接し，連携部材１０６は１０６ａ部を回動の中心として図中反時計回りに押圧され，スイッチ押圧部１０６３にて押ボタン操作片１０７１を押圧し，スイッチ部材１０７を駆動する。
また，スイッチ部材１０７の自動復帰接点により，押ボタン１０７２は常に外側方向に力が加わっており，従って押ボタン操作片１０７１はスイッチ部材１０７の外側に向かって力を受けている。
【００６７】
回路遮断器がＯＦＦ状態からＯＮ状態に至る場合においては，当接していた腕部１０５１ａと第一の当接部は各々が離れる方向に動作するため，当接はなくなる。押ボタン操作片１０７１の復元力により，連係部材１０６は回動中心１０６ａを中心として図中時計回りに回動し，スイッチ部材から離れ，スイッチ部材は押圧されなくなる。
【００６８】
次に図７には，開閉機構部１０５の過電流引き外し動作に伴う移動軌跡を示している。
図８には，図７に連係部材１０６を重ねた図を示している。過電流引外し動作または不平衡電流による引外し，即ちトリップ動作においては，アーム１０５２と作動板１０５４との係合が外れ，ピン１０５５を回動中心としてアームが図中反時計回りに回転することによりアームに設けられた突出部１０５２ａも同方向に回転を行い，連係部材１０６の第二の当接部１０６２に当接し，ばね部材１０５３の復元力により連係部材１０６は，１０６ａ部を回転の中心として図中反時計回りに回動し，スイッチ押圧部１０６３にて押ボタン操作片１０７１を押圧し，スイッチ部材１０７を駆動する。連係部材１０６の第一の当接部１０６１は機構部１０５とは当接しない。
【００６９】
このように連係部材１０６は，ハンドル部材１０５１の操作により開閉動作する際の機構部に等接する第一の当接部と，過電流および不平衡電流により過電流引き外し手段が作用し，機構部が開極動作する際の機構部に等接する第二の当接部とを有して構成されてあり，ハンドルによる開閉動作と，過電流による引き外し動作との状態の異なる２つの状態をスイッチ部材に伝達することができるよう構成されてある。
【００７０】
以上のように，電源端子収容部と負荷端子収容部との内側に，開閉機構部や漏電引き外し装置等の回路遮断器の主たる構成部品を配設し，回路遮断器のトリップ状態や，接点の開閉状態を外部に出力するスイッチ部材１０７を電源端子収容部または負荷端子収容部に配設したために，主たる構成部品はスイッチ部材１０７の配置による影響を受けずに設けて回路遮断器を構成することができる。
【００７１】
通常，回路遮断器の接点状態を外部に出力する形態としては，過電流による開極動作およびハンドル部材を操作することによる開極動作を捉えて接点信号を出力する補助スイッチ付き回路遮断器Ａと，過電流による開極動作を捉えて接点信号を出力する警報スイッチ付き回路遮断器Ｂとの２つがあるため，補助スイッチ付き回路遮断器Ａと，警報スイッチ付き回路遮断器Ｂ両方の使用に対応することが可能である。
【００７２】
ここで連係部材１０６において，補助スイッチ付き回路遮断器Ａを構成するためには第一の当接部１０６１と第二の当接部１０６２との両方が必要であるが，警報スイッチ付き回路遮断器Ｂを構成するためには，第二の当接部のみがあれば良いため，回路遮断器の組み立て時において，第一の当接部１０６１をニッパ等で除肉する事により簡単に警報スイッチ付き回路遮断器Ｂを構成する事が可能となる。組替えの工程における作業は，１．カバー２００を取り外し，２．連係部材１０６を取り外し，３．第一の当接部１０６１をニッパ等で除肉し，４．再度連係部材１０６を取り付け，５．カバー２００を取り付けて完了である。先の実施例と比較して，配線用遮断器と，漏電遮断器とで組替えにあたっての差異はなく作業性がよい。従来の例と比較すると，組替えに伴う工程数を大幅に削減することが可能である。
【００７３】
このように，補助スイッチ付き回路遮断器Ａ，または警報スイッチ付き回路遮断器Ｂを構成するために連係部材を共用化する事により，連係部材が一種類でよいため，部品を作成するための金型が一種類でよく，また部品の管理が省力化でき，コストの削減につながる回路遮断器を提供する事ができる。
【００７４】
尚，実施例においてはスイッチ部材としてマイクロスイッチを用いたが，その他のスイッチ部材として，接点信号を外部に出力することが可能で，遮断器の電源端子収容部または負荷端子収容部に配設できるものであれば，通常の押ボタンスイッチやトグルスイッチ等であってもよい。
【００７５】
次に，機構部の一部を除肉可能として設けた場合の実施例を図１３に示す。
【００７６】
回路遮断器の構成は，先の実施例とほぼ同じであるが，可動接触子１０３１において，可動接触子係止部１０５２ｂ近傍で，開閉機構が移動する軌跡上に配設され，該開閉機構と当接して開閉機構の動作に従動する連係部材１０６の第一の当接部１０６１と当接する部分を予め除肉可能な部分１０３１ａ２として設けて可動接触子１０３１を構成してある。
【００７７】
これにより，補助スイッチ付き回路遮断器Ａを構成するにあたっては，連係部材１０６を追加配置するだけでよく，また，補助スイッチ付き回路遮断器Ａから警報スイッチ付き回路遮断器Ｂへ組替えを行うにあたっては，連係部材１０６はそのままで，除肉可能な部分１０３１ａ２を除肉加工することにより，簡単に組替えが行える。即ち，補助スイッチ付き回路遮断器Ａおよび警報スイッチ付き回路遮断器Ｂにおいてそれぞれ専用の構成部品は必要なく共用化が行え，両方の仕様の回路遮断器を構成できる。
【００７８】
さらに，可動接触子１０３１に予め除肉可能な部分を設ける場合以外に，ハンドル部材１０５１の腕部１０５１ａにおいて，連係部材１０６の第一の当接部１０６１と当接する部分を予め除肉可能な部分として設けてハンドル部材を構成しても補助スイッチ付き回路遮断器Ａを構成するにあたっては，連係部材１０６を追加配置するだけでよく，また，補助スイッチ付き回路遮断器Ａから警報スイッチ付き回路遮断器Ｂへ組替えを行うにあたっては，連係部材１０６はそのままで，ハンドル部材において除肉可能な部分を除肉加工することにより，簡単に組替えが行える回路遮断器を構成できる。
【００７９】
これにより，補助スイッチ付き回路遮断器Ａを構成するにあたっては，連係部材１０６を追加配置するだけでよく，また，補助スイッチ付き回路遮断器Ａから警報スイッチ付き回路遮断器Ｂへ組替えを行うにあたっては，連係部材１０６はそのままで，除肉可能な部分１０５１ａ２を除肉加工することにより，簡単に組替えが行える。即ち，補助スイッチ付き回路遮断器Ａおよび警報スイッチ付き回路遮断器Ｂにおいてそれぞれ専用の構成部品は必要なく共用化が行え，両方の仕様の回路遮断器を構成できる。
【図面の簡単な説明】
【００８０】
【図１】回路遮断器のＯＮ状態を示す内部構造図である。
【図２】回路遮断器のＯＮ状態を示す内部構造図である。
【図３】回路遮断器のＯＦＦ状態を示す内部構造図である。
【図４】回路遮断器のトリップ状態を示す内部構造図である。
【図５】ハンドル部材をＯＮ−ＯＦＦしたときの機構部の移動軌跡。
【図６】連係部材を重ね合わせた図。
【図７】トリップ時の機構部の移動軌跡。
【図８】連係部材を重ね合わせた図。
【図９】漏電遮断器におけるＯＮ状態を示す内部構造図である。
【図１０】漏電遮断器のＯＮ状態を示す内部構造図である。
【図１１】漏電遮断器のＯＦＦ状態を示す内部構造図である。
【図１２】漏電遮断器のトリップ状態を示す内部構造図である。
【図１３】開閉機構部の除肉を示した図。
【図１４】従来の配線用遮断器の例を示す図。
【図１５】従来の漏電遮断器の例を示す図。
【図１６】従来の遮断器において警報スイッチを内蔵した図。
【符号の説明】
【００８１】
１００  ケース
２００  カバー
１０１  電源端子
１０２  負荷端子
１０３  接点装置
１０３１  可動接触子
１０３１ａ  可動接点
１０３１ａ２  除肉可能な部分
１０３２  固定接触子
１０３２ａ  固定接点
１０５  開閉機構
１０５１  ハンドル部材
１０５１ａ  腕部
１０５１ｂ  ハンドル回転角度規制部
１０５２  アーム
１０５２ａ  突出部
１０５２ｂ  可動接触子係止部
１０５３  ばね部材
１０５３ａ  ばね部材の係止部
１０５３ｂ  ばね部材の係止部
１０５４  作動板
１０６  連係部材
１０６１  第一の当接部
１０６２  第二の当接部
１０６３  スイッチ押圧部
１０７  スイッチ部材
１０７１  押ボタン操作片
１０７２  押ボタン
１０８  過電流引き外し手段
１０８０  バイメタル
１０８０ａ  取付部
１０８３  調整ねじ
【図１】
2005353440.tif 000003
【図２】
2005353440.tif 000004
【図３】
2005353440.tif 000005
【図４】
2005353440.tif 000006
【図５】
2005353440.tif 000007
【図６】
2005353440.tif 000008
【図７】
2005353440.tif 000009
【図８】
2005353440.tif 000010
【図９】
2005353440.tif 000011
【図１０】
2005353440.tif 000012
【図１１】
2005353440.tif 000013
【図１２】
2005353440.tif 000014
【図１３】
2005353440.tif 000015
【図１４】
2005353440.tif 000016
【図１５】
2005353440.tif 000017
【図１６】
2005353440.tif 000018